【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
光を放射する点光源単体又は複数の点光源の集合体からなる一群の光源と、
該光源からの光を伝搬してその放射方向の所定位置に放射面を有する光学的に透明な導光体と、
該導光体の前記放射面以外の面を閉鎖し、光を反射させる底面及び側面反射部からなる内側反射手段が設けられ、その底面の中央部に前記光源が配設されたケーシングと、
前記放射面状に配置された放射側反射手段とを備え、
前記放射側反射手段は前記導光体内部を伝搬する光を所定の割合で透過及び反射させる部材からなり、該放射側反射手段の周辺部に開口部を設けると共に、中心部を未開口部としておくことによって、前記放射側反射手段の透過光量が前記光源に対向する前記放射面の中心位置から外方に遠ざかるに従い多くなるように調節されていることを特徴とする面照明光源装置。
【請求項２】
前記開口部は、前記未開口部から外方に離れるに従って前記開口部の面積が大きくなることを特徴とする請求項１に記載の面照明光源装置。
【請求項３】
前記開口部は、予め設定した基準面積と該基準面積に対する該開口部の開口面積との比を開口率Ａ、定数ｂ、ｃ、前記光源に対向する前記放射面の中心からの距離をｘとして、これらが以下の関係式（１）、
Ａ＝ｂｘ２＋ｃ    （１）式
を満たすことを特徴とする請求項１に記載の面照明光源装置。
【請求項４】
前記導光体は、空気であることを特徴とする請求項１に記載の面照明光源装置。
【請求項５】
前記内側反射手段及前記放射側反射手段を構成する材料は、超微細発泡光反射板材であることを特徴とする請求項１に記載の面照明光源装置。
【請求項６】
前記光源に対向する前記放射面の中心から該放射面に沿って前記開口部までの距離をｘ、前記光源から前記放射側反射手段までの前記放射方向の離間距離をｄ、前記開口部の開口寸法をａ、前記放射側反射手段の厚さをｔとしたとき、
ｄ／ｘ＜ｔ／ａ
の関係を有することを特徴とする請求項１に記載の面照明光源装置。
【請求項７】
前記開口部は、丸孔、角孔、環状孔、又は不連続な環状孔を有していることを特徴とする請求項１に記載の面照明光源装置。
【請求項８】
前記開口部は、側面壁を有し、該側面壁にて反射した反射光を通過させることを特徴とする請求項１に記載の面照明光源装置。
【請求項９】
前記放射側反射手段は、前記未開口部に光の反射量を調整する未貫通孔を有していることを特徴とする請求項１〜８のいずれかに記載の面照明光源装置。
【請求項１０】
前記放射側反射手段は、光の反射量を調整する幅狭の貫通溝を有していることを特徴とする請求項１〜８のいずれかに記載の面照明光源装置。
【請求項１１】
前記光源は、１個の発光ダイオード又は複数個の発光ダイオードの集合体で形成されていることを特徴とする請求項１に記載の面照明光源装置。
【請求項１２】
前記ケーシングは、平面視で方形状に形成されていることを特徴とする請求項１に記載の面照明光源装置。
【請求項１３】
前記ケーシングは、内部に前記点光源が複数個配設されて、前記各点光源の真上にそれぞれ前記放射側反射手段が設けられていることを特徴とする請求項１に記載の面照明光源装置。
【請求項１４】
前記ケーシングは、内部が複数に区画されて、該区画された底面の中央部にそれぞれ１個の点光源が配設されて、前記各点光源の真上に前記放射側反射手段が設けられていることを特徴とする請求項１に記載の面照明光源装置。
【請求項１５】
請求項１〜１４のいずれかに記載の面照明光源装置を複数個配置することによって構成されたことを特徴とする面照明装置。
【手続補正２】
【補正対象書類名】明細書
【補正対象項目名】００１２
【補正方法】変更
【補正の内容】
【００１２】
前記目的を達成するため、請求項１に係る発明は、
光を放射する点光源単体又は複数の点光源の集合体からなる一群の光源と、
該光源からの光を伝搬してその放射方向の所定位置に放射面を有する光学的に透明な導光体と、
該導光体の前記放射面以外の面を閉鎖し、光を反射させる底面及び側面反射部からなる内側反射手段が設けられ、その底面の中央部に前記光源が配設されたケーシングと、
前記放射面状に配置された放射側反射手段とを備え、
前記放射側反射手段は前記導光体内部を伝搬する光を所定の割合で透過及び反射させる部材からなり、該放射側反射手段の周辺部に開口部を設けると共に、中心部を未開口部としておくことによって、前記放射側反射手段の透過光量が前記光源に対向する前記放射面の中心位置から外方に遠ざかるに従い多くなるように調節されていることを特徴とする。
【手続補正３】
【補正対象書類名】明細書
【補正対象項目名】００１３
【補正方法】変更
【補正の内容】
【００１３】
請求項２に係る発明は、請求項１に記載の面照明光源装置において、
前記開口部は、前記未開口部から外方に離れるに従って前記開口部の面積が大きくなることを特徴とする。
【手続補正４】
【補正対象書類名】明細書
【補正対象項目名】００１４
【補正方法】変更
【補正の内容】
【００１４】
請求項３に係る発明は、請求項１に記載の面照明光源装置において、
前記開口部は、予め設定した基準面積と該基準面積に対する該開口部の開口面積との比を開口率Ａ、定数ｂ、ｃ、前記光源に対向する前記放射面の中心からの距離をｘとして、これらが以下の関係式（１）、
Ａ＝ｂｘ２＋ｃ    （１）式
を満たすことを特徴とする。
【手続補正５】
【補正対象書類名】明細書
【補正対象項目名】００１５
【補正方法】変更
【補正の内容】
【００１５】
請求項４に係る発明は、請求項１に記載の面照明光源装置において、
前記導光体は、空気であることを特徴とする。
【手続補正６】
【補正対象書類名】明細書
【補正対象項目名】００１６
【補正方法】変更
【補正の内容】
【００１６】
請求項５に係る発明は、請求項１に記載の面照明光源装置において、
前記内側反射手段及前記放射側反射手段を構成する材料は、超微細発泡光反射板材であることを特徴とする。
【手続補正７】
【補正対象書類名】明細書
【補正対象項目名】００１７
【補正方法】変更
【補正の内容】
【００１７】
請求項６に係る発明は、請求項１に記載の面照明光源装置において、
前記光源に対向する前記放射面の中心から該放射面に沿って前記開口部までの距離をｘ、前記光源から前記放射側反射手段までの前記放射方向の離間距離をｄ、前記開口部の開口寸法をａ、前記放射側反射手段の厚さをｔとしたとき、
ｄ／ｘ＜ｔ／ａ
の関係を有することを特徴とする。
【手続補正８】
【補正対象書類名】明細書
【補正対象項目名】００１８
【補正方法】変更
【補正の内容】
【００１８】
請求項７に係る発明は、請求項１に記載の面照明光源装置において、
前記開口部は、丸孔、角孔、環状孔、又は不連続な環状孔を有していることを特徴とする。
【手続補正９】
【補正対象書類名】明細書
【補正対象項目名】００１９
【補正方法】変更
【補正の内容】
【００１９】
請求項８に係る発明は、請求項１に記載の面照明光源装置において、
前記開口部は、側面壁を有し、該側面壁にて反射した反射光を通過させることを特徴とする。
【手続補正１０】
【補正対象書類名】明細書
【補正対象項目名】００２０
【補正方法】変更
【補正の内容】
【００２０】
請求項９に係る発明は、請求項１〜８のいずれかに記載の面照明光源装置において、
前記放射側反射手段は、前記未開口部に光の反射量を調整する未貫通孔を有していることを特徴とする。
請求項１０に係る発明は、請求項１〜８のいずれかに記載の面照明光源装置において、
前記放射側反射手段は、光の反射量を調整する幅狭の貫通溝を有していることを特徴とする。
請求項１１に係る発明は、請求項１に記載の面照明光源装置において、
前記光源は、１個の発光ダイオード又は複数個の発光ダイオードの集合体で形成されていることを特徴とする。
請求項１２に係る発明は、請求項１に記載の面照明光源装置において、
前記ケーシングは、平面視で方形状に形成されていることを特徴とする。
請求項１３に係る発明は、請求項１に記載の面照明光源装置において、
前記ケーシングは、内部に前記点光源が複数個配設されて、前記各点光源の真上にそれぞれ前記放射側反射手段が設けられていることを特徴とする。
請求項１４に係る発明は、請求項１に記載の面照明光源装置において、
前記ケーシングは、内部が複数に区画されて、該区画された底面の中央部にそれぞれ１個の点光源が配設されて、前記各点光源の真上に前記放射側反射手段が設けられていることを特徴とする。
請求項１５に係る発明は、請求項１〜１４のいずれかに記載の面照明光源装置を複数個配置することによって構成されたことを特徴とする。